(57)【要約】【課題】野球等の投球練習では、投球乃至シュート位置をコントロールすることが多く、このコントロールをつけるための練習補助用の器具として、構成、及び取扱の簡単、便利なボールストライカを得るものである。【解決手段】基台１に対して起伏可能で門形状のストライカフレーム２に、ゾーンフラッグを吊下配置する所定区画のフラッグホルダ４を設け、後側にはこのストライカフレーム２の内側を通過するボール受けるゴールネット５を設け、底分にはこのボールを受けて還元する還元樋６を設けたことを特徴とするボールストライカの構成。【選択図】  図１
2004344611.tif 000002
【特許請求の範囲】
【請求項１】
基台１に対して起伏可能で門形状のストライカフレーム２に、ゾーンフラッグを吊下配置する所定区画のフラッグホルダ４を設け、後側にはこのストライカフレーム２の内側を通過したボールを受けるゴールネット５を設け、底部にはこのボールを受けて還元する還元樋６を設けたことを特徴とするボールストライカ。
【請求項２】
前記フラッグホルダ４を、細い紐状材乃至針金状材で形成することを特徴とする請求項１に記載のボールストライカ。
【請求項３】
前記ストライカフレーム２の起伏と共に、ゴールネット５を張設するネットフレーム７を起伏して折畳可能とすることを特徴とする請求項１、又は２に記載のボールストライカ。
【請求項４】
前記還元樋６には、還元パイプ８を連結してボールを還元することを特徴とする請求項１、２、又は３に記載のボールストライカ。
【発明の詳細な説明】
【０００１】
【発明の属する技術分野】
この発明は、投球練習を行なうためのボールストライカに関するもので、投球目標のゾーンフラッグを吊下配置するものである。野球やソフトボールはもとより、サッカー、バレーボール、ドッジボール、テニスやゴルフ練習等に利用できる。
【０００２】
【従来の技術】
サッカー場にはゴールポストが設けられて、ボールがゴールポスト内に打込まれるとゴールネットに当って止められるため、ゴールしたことが判り易くなっている。
【０００３】
【発明が解決しようとする課題】
投球練習等では、投球乃至シュート位置等をコントロールすることが多く、このコントロールをつけるための練習補助用の器具としての、構成、及び取扱の簡単、便利なボールストライカを得るものである。
【０００４】
【課題を解決するための手段】
請求項１に記載の発明は、基台１に対して起伏可能で門形状のストライカフレーム２に、ゾーンフラッグを吊下配置する所定区画のフラッグホルダ４を設け、後側にはこのストライカフレーム２の内側を通過したボールを受けるゴールネット５を設け、底部にはこのボールを受けて還元する還元樋６を設けたことを特徴とするボールストライカの構成とする。基台１を目標位置に据付けてストライカフレーム２を起立させる。このストライカフレーム２のフラッグホルダ４の必要ゾーンには、ゾーンフラッグ３を吊下配置する。ストライカフレーム２を起立すると、ストライカフレーム２の後側にはゴールネット５が張設されると共に、底分には還元樋６が形成される。このストライカフレーム２の正面等適宜の位置からこの目標のゾーンフラッグ３に向って投球乃至シュートを行って、この目標のゾーンフラッグ３が揺動したか否かを確認できる。このストライカフレーム２の内側を通過したボールはゴールネット５に受けられて還元樋６に案内される。
【０００５】
請求項２に記載の発明は、前記フラッグホルダ４を、細い紐状材乃至針金状材で形成することを特徴とするものである。ストライカフレーム２内に投球乃至シュートされたボールは、このストライカフレーム２のフラッグホルダ４に吊下げられるゾーンフラッグ３に当るものであるが、ボールの位置によってゾーンフラッグ３相互間のフラッグホルダ４に当ることも多い。このフラッグホルダ４は細い紐状材乃至針金状材から形成されるため、ボールは上下、左右等のいずれかの側のゾーンフラッグ３の区域内に入り易く、正面に向けて反発されることは少くなる。
【０００６】
請求項３に記載の発明は、前記ストライカフレーム２の起伏と共に、ゴールネット５を張設するネットフレーム７を起伏して折畳可能とすることを特徴とするものである。前記のように基台１に対してストライカフレーム２を起伏するときは、これに伴ってゴールネット５を張設するネットフレーム７が起伏されて、これらストライカフレーム２やネットフレーム７の起立によってゴールネット５が張圧支持される。又、倒伏されるとこのゴールネット５をも折畳収納状態とすることができ、ボールストライカの取扱いを簡単、容易化できる。
【０００７】
請求項４に記載の発明は、前記還元樋６には、還元パイプ８を連結してボールを還元することを特徴とするものである。ストライカフレーム２内のゾーンフラッグ３に当ったボールは、ゴールネット５で覆われた底部の還元樋６に受けられて、この還元樋６から還元パイプ８を経て正面投球位置乃至シュート位置へ返還される。プレイヤーはこの返還されたボールを持って再度投球等を繰返えすことができる。
【０００８】
【発明の効果】
請求項１に記載の発明は、ストライカフレーム２にはゾーンフラッグ３が吊下げられて所定の区画に形成されるため、各ゾーンフラッグ３毎に目標を指定して投球したりシュートすることができ、各ゾーンフラッグ３毎にボールの当りによって通り抜けると共に揺動して、目標位置のゾーンフラッグ３に対する命中度を容易に確認できる。又、このストライカフレーム２内を通り抜けたボールは、後側のゴールネット５に捕球されて還元樋６に案内され、一定位置に還元されるため、ボールの繰返し再使用が容易で効率的な練習を行なうことができる。
【０００９】
請求項２に記載の発明は、フラッグホルダ４を紐状材乃至針金状材によって構成する形態では、ボールが相隣接するゾーンフラッグ３間の境界位置に当ったときでも、正面側に跳ね返ることが少く、ゾーンフラッグ３部を後側へ通り抜け易く邪魔になり難い。
【００１０】
請求項３に記載の発明は、ストライカフレーム２を起伏することによって、ネットフレーム７をも起伏することができ、ゴールネット５の拡縮を行うことができる。また、ボールストライカの出し入れや、使用、収納等の取扱いを簡単容易に行うことができる。
【００１１】
請求項４に記載の発明は、前記還元樋６に還元パイプ８を連結して、ストライカフレーム２内に投げられたボールを受けて再びプレイヤー側へ自動的に返送するため、反復練習を一人で効率良く行うことができる。
【００１２】
【発明の実施の形態】
この発明の実施例を図面に基づいて説明する。車台１はチューブ材からなり門形状に形成して、下面には適数個のキャスター９が配置されて、運動場乃至床面を移動できる。ストライカフレーム２及びネットフレームも同形態に形成されて、これらの各自由端部において基台１に対して起伏可能にヒンジ１０、１１、１２で支持される。ストライカフレーム２の左右自由端部にはブラケット１３が上側に突出されて、このブラケット１３部にネットフレーム７左右自由端部がヒンジ１１、１２で枢支されて、この上端部にストライカフレーム２の左右自由端部がヒンジ１０で枢支される。
【００１３】
ストライカフレーム２にはフラッグホルダ４が設けられて、所定区画のゾーンフラッグ３が吊下げられる。フラッグホルダ４はできるだけ薄い板材等によって縦横格子２０、２１形態に形成してストライカフレーム２に取付ける。図例ではストライカフレーム２内を略正方形の▲１▼〜▲９▼の区画に形成したもので、各区画部の上辺部の後側に位置するフラッグホルダ４部にはブラケット１４のピン穴１５に差込むピン１６で、各ゾーンフラッグ３の袖部１７を通して吊下げることができる。各ゾーンフラッグ３は袖部１７が各ブラケット１４で仕切られているために、横方向へ移動しないで安定した位置を維持する。該ゾーンフラッグ３、及びフラッグホルダ４は、図例の形態に限らず、形状や、大きさ、区画数等は各種球技、練習等で応じて適宜に形成される。このうち球技種類やボールとしては、野球、サッカー、テニス、ソフトボール、バレーボール、ゴルフボール等がある。
【００１４】
ゴールネット５はストライカフレーム２から各ネットフレーム７の外周部を覆い、しかも下端部のネットフレーム７の下側に沿って底部ネット１９が傾斜形成され、基台１の正面開放部に設けられる還元樋６部にのぞませる。この還元樋６の中央部乃至一側部には還元口１８が形成されて、ゴールネット５内に捕球されたボールは、この還元樋６内に集められて還元口１８から取出される。又、この還元口１８には蛇腹状の還元パイプ８が連結されて、吸引モータ等の吸引力によってボールを投球者の手元へ搬送することができる。
【００１５】
ストライカフレーム２及びネットフレーム７等を基台１上に沿うように折畳状態にした形態で、所定の場所に移動させて、キャスタ９の回転自在の状態から固定状態にして、基台１を移動しないように固定させる。ストライカフレーム２及びネットフレーム７を各ヒンジ１０、１１、１２の周りに起立回動して、ストライカフレーム２を略直立姿勢にする。各フラッグホルダ４にはゾーンフラッグ３が垂れ下がる。ネットフレーム７の起立回動によってゴールネット５が張設されて、ストライカフレーム２の後側部を覆う。又、底部ネット１９の傾斜下端部には還元樋６をのぞませる。この還元樋６の還元口１８に還元パイプ８を連結して、先端のボール取出口をストライカフレーム２の正面前方のプレイヤーの近くに位置させる。
【００１６】
投球乃至シュート練習するときは、このストライカフレーム２の正面前方の適宜位置から、このストライカフレーム２に向けてボールを投げたり、シュートする。ボールがストライカフレーム２の内側に投げ込まれると、このボールの当った位置のゾーンフラッグ３がフラッグホルダ４の周りに後方へ押し開かれて、ボールはこのゾーンフラッグ３部を後側へ通り抜けて、ゴールネット５に捕球されて、底部ネット１９から還元樋６に受けられて還元口１８に案内され、更に還元パイプ８を介してプレイヤーの手元部へ搬送される。プレイヤーはこの手元に還元されたボールを取り上げて再度投球乃至シュート練習することができる。
【００１７】
前記ゾーンフラッグ３が破れたり損傷したときはピン１６から抜き外して新しいものと取替えることができる。
【００１８】
次に、主として図５において上例と異なる点は、前記フラッグホルダ４を細い紐状材や、針金状材等の構成としたもので、左右のストライカフレーム２間にわたって水平状に掛け渡したものであり、上下方向の縦、横格子２０，２１部を無くした構成としている。２２はゾーンフラッグ３の移動を係止するストッパーである。縦、横格子２０、２１が形成されず、しかもフラッグホルダ４が紐状乃至針金状に細いものであるから、このフラッグホルダ４に直接ボールが当っても正面前方に跳ね返り難く隣接のゾーンフラッグ３への通過が円滑である。又、ストライカフレーム２の重量を軽量化して取扱性を容易にする。更に、このフラッグホルダ４をコイルバネ形態に構成することもでき、このバネ力によってボールが当っても衝撃作用と共に、ボールのゾーンフラッグ３部通過を円滑に行なわせることができる。
【図面の簡単な説明】
【図１】ボールストライカの全体斜視図。
【図２】その一部の拡大側断面図と、フラッグホルダ部の拡大斜視図。
【図３】その平面図。
【図４】その正面図。
【図５】その一部別実施例を示すフラッグホルダ部の斜視図と、一部の拡大図。
【符号の説明】
１    基台
２    ストライカフレーム
３    ゾーンフラッグ
４    フラッグホルダ
５    ゴールネット
６    還元樋
７    ネットフレーム
８    還元パイプ
【図１】
2004344611.tif 000003
【図２】
2004344611.tif 000004
【図３】
2004344611.tif 000005
【図４】
2004344611.tif 000006
【図５】
2004344611.tif 000007